(57)【要約】【課題】ピンと張った状態を維持でき、張設作業が容易な競技用ネットを提供する。【解決手段】競技用ネット１を支柱２１間に張り渡し支持するロープ３を、通常のロープよりなる非伸縮部９と、弾性伸縮するゴムバンド等よりなる伸縮部１０にて構成し、伸縮部を伸長させた状態で支柱間にネットを張り、ロープの両端の継手１２，１２を各支柱の上端のリングに連結することでネットを容易に張ることができる。ロープはネット本体２の上辺５の挿通孔４に通され、伸縮部が位置する部分には、開閉部１３が設けられる。ロープには常時引張力が加わるから、ネットをピンと張った状態に維持することができる。【選択図】　　　　図１
2004024885.tif 000002
【特許請求の範囲】
【請求項１】
上辺にロープ挿通孔を有するネット本体と、上記挿通孔に挿通され、上記ネット本体を２本の支柱間に支持するためのロープとを有する競技用ネットにおいて、上記ロープの両端に継手が形成されてなり、該継手が上記支柱の上端に形成されたリングに連結される競技用ネット。
【請求項２】
上記ロープが弾性伸縮する伸縮部と非伸縮部よりなり、上記伸縮部が上記挿通孔適所に位置せしめられるとともに、上記伸縮部が位置する上記挿通孔に、該挿通孔を開く開閉部が形成されてなる請求項１に記載の競技用ネット。
【請求項３】
上記伸縮部が位置する上記挿通孔に、上記伸縮部の上記開閉部からの移動を阻止する第１阻止手段を設けてなる請求項２に記載の競技用ネット。
【請求項４】
上記ロープの両端に、該ロープの端部が上記挿通孔内に入ることを阻止する第２阻止手段を設けてなる請求項１，２または３に記載の競技用ネット。
【発明の詳細な説明】
【０００１】
【発明の属する技術分野】
本発明は、ソフトバレーボール競技等のネットとして好適な競技用ネットに関する。
【０００２】
【従来の技術】
ソフトバレーボール或いはミニソフトバレーボール競技は、バドミントンのコートと同一の大きさのコートが使用され、ネットもまたバドミントン競技用ネットと同等のものが使用される。ネットはコートを挟んで設置された２本の支柱間に、所定の高さ（２ｍ）に張り渡されて支持される。ネットを支持するロープとして、通常ナイロン製ロープが使用されることが多く、支柱への取付けに際してはロープの両端を支柱の引っ掛け部に引っ掛け結びつけられる。ロープの素材を開示した公報として例えば実開昭６１−１１１４６８号公報がある。この公報には、通常ワイヤーロープは金属線が使用されていること、及びこの考案では、特殊なワイヤーロープ（超延伸ポリオキシメチレンで形成されたロープ）を使用することにより、引張強度及び耐久性が向上する旨記載されている。なおバレーボール競技用ネットにおいては、金属製ワイヤーロープが使用されることが多い。
【０００３】
【発明が解決しようとする課題】
従来金属線ワイヤーロープ或いはナイロン製ロープ等を使用したネットでは、これを支柱間に張り渡す際、かなり強く引っ張った状態で、ロープ端部を支柱に引っ掛け或いは支柱に結びつけるという作業が必要であり、緩みなく張り渡すには大人の強い力でなければ難しいという問題がある。
【０００４】
また競技中、緩みなく張ったネットに選手の手がかかり、ネットを張ったロープに強い引張力が加わった場合、この力がそのまま支柱に加わり、特に床面に載置されただけの可動式支柱の場合、これが倒れるおそれがある。
【０００５】
本発明は、かかる事情に鑑みてなされたもので、ネット張設作業を簡単に行うことができる競技用ネットを提供するものである。
【０００６】
【課題を解決するための手段】
本発明（請求項１）は、上辺にロープ挿通孔を有するネット本体と、上記挿通孔に挿通され、上記ネット本体を２本の支柱間に支持するためのロープとを有する競技用ネットにおいて、上記ロープの両端に継手が形成されてなり、該継手が上記支柱の上端に形成されたリングに連結されるものである。かかる構成において、上辺の挿通孔にロープを通し、その両端の継手を支柱の上端のリングに連結することにより、ネットが張られる。
【０００７】
本発明（請求項２）にあっては、上記ロープが弾性伸縮する伸縮部と非伸縮部よりなり、上記伸縮部が上記挿通孔適所に位置せしめられるとともに、上記伸縮部が位置する上記挿通孔に、該挿通孔を開く開閉部が形成されてなるものである。
【０００８】
本発明（請求項３）にあっては、上記伸縮部が位置する上記挿通孔に、上記伸縮部の上記開閉部からの移動を阻止する第１阻止手段を設けてなるものである。
【０００９】
本発明（請求項４）にあっては、上記ロープの両端に、該ロープの端部が上記挿通孔内に入ることを阻止する第２阻止手段を設けてなるものである。
【００１０】
【発明の実施の形態】
図１において、１は、ソフトバレーボール用ネットで、ネット本体２とロープ３よりなる。４は、ネット本体２の上辺５に形成された挿通孔で、白色布の上端を折り返し下端を縫い合わせて構成される。６，７は、同様の白色布よりなる下辺及び側辺である。８は、上下辺５，６及び側辺７にて囲まれた矩形領域に張り渡された網目部分である。ロープ３は、非伸縮部９と伸縮部１０よりなり、非伸縮部９としてナイロン製ロープが、伸縮部１０としてゴムバンド又はコイルスプリングが使用できる。図では、伸縮部１０としてリング状ゴムバンドを使用した場合を示す。ゴムバンドは、リング状のほか、紐状のものも使用できる。非伸縮部９としては、上記ロープのほか金属製ワイヤーロープ、天然繊維或いは化学繊維よりなる紐が使用できる。
【００１１】
伸縮部１０は、ネット本体２の一端側（図示例では左側）近傍に位置せしめられている。すなわち、ロープ３は、挿通孔４内において、図中左から、短い非伸縮部９、伸縮部１０、長い非伸縮部９の順で連結されている。伸縮部１０と右側の長い非伸縮部９とは、手で結び或いは解くことができる構造とされ、結び目１１が形成される。その他の部分は金属管により固く結合されている。一部を手で解く構造としたのは、ロープ３全体の長さをネット本体２の幅に応じて変更できるようにするためである。１２，１２は、ロープ３の両端に取りつけられた金属製自在継手である。
【００１２】
１３は、伸縮部１０が位置するネット本体２の挿通孔４部分に形成された開閉部で、この部分は上辺５の下端が縫い合わされていず、内面に面状ファスナー１４が取りつけられている。したがって、この部分は開くことができる。図１は、開いた状態を示す。１５は、この開閉部１３の図中右端に形成された第１阻止手段で、上辺５を矩形状に縫い合わせて挿通孔４を狭くしている。この挿通孔４の狭い部分を、伸縮部１０と非伸縮部９の結び目１１は通り抜けることができないのである。
【００１３】
第１阻止手段１５を設け、かつ伸縮部１０が位置する部分の挿通孔４に開閉部１３を設けたのは、伸縮部１０が切断したとき、これを交換しやすくし、或いは結び目１１を結び直すためである。すなわち、伸縮部１０が切断した場合、結び目１１が第１阻止手段１５にて止められ、これ以上挿通孔４内（図中右側）に入り込むことはないから、開閉部１３を開くことによって、これを容易に取り出すことができるのである。
【００１４】
１６，１６は、継手１２，１２が、挿通孔４内に入ることを阻止する第２阻止手段で、短い紐（長さ約５ｃｍ）よりなり、その一端が継手１２，１２に、他端が上辺５端部に鳩目にて形成された開口１７，１７に繋がれている。１８は、ネット本体２を支柱に固定するための接続部材で、ゴムバンド１９及びその先端と側辺に形成された面状ファスナー部分２０よりなり、ネット本体２の側辺７に各３本、ほぼ等間隔で設けられている。このファスナー部分２０は、後述する支柱を巻いて、ネット側辺７に閉じられる。
【００１５】
ここで寸法の一例をあげると、ネット本体２の幅は、６００ｃｍ，高さ８０ｃｍ，伸縮部１０は、ロープ３の一方の端（図示の例では左端）から２０ｃｍ内側に接続されている（すなわち非伸縮部の長さが２０ｃｍ）。伸縮部１０の長さは、４０ｃｍ（非伸長時）、図中右側の長い方の非伸縮部９の長さは、５２５ｃｍであり、ロープの全体の長さは５８５ｃｍとなる。この長さは、ネット本体２の幅よりも短い。すなわち伸縮部１０が引っ張られて伸び、適度な引張力が与えられた状態で、ネット本体２の幅に等しくなるよう設定される。第１阻止手段１５の位置は、ネット１の端からｌｍ，この部分の挿通孔４の幅は、ｌｃｍとすることができる。上辺５の幅、すなわち挿通孔の幅は、７ｃｍ、下辺６及び側辺７のの幅も同様に７ｃｍである。
【００１６】
図２，３は、可動構造を有する支柱２１，２１にネット１を張った場合を示す。支柱２１は、金属パイプよりなる上部支柱２２及び下部支柱２３にて構成され、上部支柱２２が下部支柱２３に嵌装され、高さ調整ピン２４を介して、上部支柱２２の高さが調整される。通常、ソフトバレーボール競技では、ネット１の上辺５の高さは、一般成人用が２ｍ、小学生では、２ｍ，１．８ｍ，１．５ｍ，１．２ｍ等異なる高さに設定される。２５は、上部支柱２２の上端に形成された金属製リングで、ロープ３両端の継手１２が連結される。
【００１７】
２６は、下部支柱２３の下端付近において、下部支柱２３に水平方向に固定されたベース、２７は、このべース２６上に載置されたウェイト、２８，２９は、べース２６下方に取りつけられたキャスター、３０は支柱下端に取りつけられたゴムストッパーである。ゴムストッパー３０側のキャスター２８は２個、外側のキャスター２９は１個で構成され、ベース２６の安定な状態とされている。ウェイト２７の重心Ｇは、キャスター２８の上方にあり、支柱２１に何ら荷重が加わらないときは、軽く手で押すことにより、２種のキャスター２８，２９は、ともに床面３１に接地させることができ、かつこのとき支柱２１のゴムストッパー３０は床面３１から離れており、したがって、キャスター２８，２９の転動により支柱２１は床面３１上を容易に移動できる。
【００１８】
他方、支柱２１にネット１を張り、その重量及び引張力により、例えば右側（図中）の支柱２１に、左方へ引っ張る力が加わったときは、ベース２６及びウェイト２７はキャスター２８を中心に左方向へ回動し、支柱２１のゴムストッパー３０が床面３１にあたり、外側のキャスター２９は宙に浮く。かくして支柱２１は床面３１に固定される。３２は、ベース２６及びウェイト２７を被覆する保護カバーである。
【００１９】
かかる支柱２１を使用してこれにネット１を張る際には、上部支柱２２を低くし、かつ２本の支柱２１を近寄らせた状態で、上辺５の挿通孔４に通したロープ３の両端の継手１２を各上部支柱２２上端のリング２５に連結し、上方の接続部材１８を上部支柱２２に巻く。次いで、上部支柱２２を上方へ伸ばし、所定の高さとして高さ調整ピン２４で固定する。他の接続部材１８を上部支柱２２に巻く。２本の支柱２１，２１間を拡げ、コートサイドの所定位置にて停止させる。このとき、ロープ３は引っ張られ、伸縮部１０が弾性的に伸長し、かつ接続部材１８もゴムバンド部分１９が弾性的に伸び、ネット１は支柱２１，２１間にピンと張られる。かかる作業は、背の低い小学生児童でも簡単に行うことができる。
【００２０】
ネット張設状態にあっては、伸縮部１０にはロープ３が垂れ下がらない程度の張力を生じ、実際には伸縮部１０が４０ｃｍから５０〜６０ｃｍに伸びたとき、十分な張力が得られるよう伸縮部１０の弾性が設定され、上記寸法のゴムバンドを使用したとき、バネ定数Ｋは、約３０ｋｇ／ｍであった。伸縮部１０のバネ定数を、約２５ないし５０ｋｇ／ｍの範囲で設定すると、ネット本体２の重量に抗して、ネット本体２をピンと張り、かつ選手の体がぶつかったとき、適度な緩衝作用を得ることができる。また、支柱２１には、ネット１自体の重量及び上記弾性力により内側方向への引張力がはたらくから、支柱２１のゴムストッバー３０が床面３１にあたり、支柱２１は固定される。
【００２１】
かかる構造にあっては、ネット上辺５に選手の手が当たっても、ロープ３が弾性的に伸長し、この衝撃を吸収、緩和するから、選手が感じる痛みは軽減される。同時に、この衝撃は、ロープ３にて吸収されるから、支柱２１に加わる衝撃が減殺され、支柱２１の位置がずれたり或いは支柱２１が倒れたりする可能性は小さい。
【００２２】
接続部材１８により、ネット本体２の側辺７及び下辺６もまたピンと張られた状態にある。特にネット下辺６が常にピンと張られた状態にあることが重要である。バレーボール競技においては、ネット１に当たって跳ね返ったポールをうまく処理しなければならず、ネットプレーは選手にとって重要な技術である。ネット下辺６が緩んでいると、網目部分８に当たったボールが跳ね返らず、そのまま床面３１に落ちてしまい、高度なネットプレーが発揮できず、ゲームの感興を削いでしまうのである。それ故、ネット１は上辺５のみならず、下辺６もまた常時ピンと張った状態になければならないのである。
【００２３】
すなわち、編目部分８に当たったボールは、コート側にはね返らなければならず、そのためには、下辺６がピンと張っていなければならないのである。選手は下辺６にあたってコート側へはねかえるボールの速度、方向等をを予測してボールを床面に落とすことなく処理する。
【００２４】
図４〜６は、異なる構造の支柱３２、すなわち床面３１に埋め込む構造の支柱３２にネット１を張設した場合を示す。支柱３２は、上記同様上部支柱３３及び下部支柱３４よりなり、上部支柱３３が下部支柱３４に嵌装され、高さ調整ピン２４を介して、上部支柱３３の高さが調整される。上部支柱３３の上端には、水平方向の孔３５が形成されており、これに支柱ロープ３６が通される。３７は、下部支柱３４に形成された「く」字型の係止部で、支柱ロープ３６の下端を引っ掛けて固定するものである。
【００２５】
支柱３２は、コートの両サイドに埋め込み或いは嵌め込み等にて立設される。支柱ロープ３６は、その上端側にリング状部分３８を有し、これにロープ３の継手１２が連結される。支柱ロープ３６の下端は、係止部３７に巻き付けられて係止される。孔３５の大きさは、支柱ロープ３６の上端のリング状部分３８が通り抜けない大きさに形成されている。
【００２６】
上記構成のネット１において、その取付け方法を説明すると、上下支柱３２を床面３１に立設し、上部支柱３３を下げた状態で、支柱ロープ３６を孔３５に通し、その下端を係止部３７に仮止めしておく。次いでネット１のロープ３の継手１２を支柱ロープ３６のリング状部分３８に連結してネット本体２を２本の支柱３２，３２間に張る。次に、両支柱３２，３２の上部支柱３３，３３を上げ、所定高さに固定する。このとき、ネット本体２の接続部材１８を上部支柱３３に回してネット側辺７を支柱３２に固定する。両支柱３２，３２の支柱ロープ３６を引っ張り、ロープ３の継手１２が上部支柱３３に接する位置まで伸縮部１０を伸ばし、支柱ロープ３６を係止部３７に引っかけて固定する。なお、この係止部３７には、選手等が係止部３７に直接当たらないよう、支柱３３ごと保護カバーを巻くことができる。かくして、ネット１は支柱３２，３２間に張り渡される。かかる方法においても、前述の実施形態同様、児童でもその作業をすることができる。
【００２７】
ロープ３における伸縮部１０の位置及び数は、変更することができる。図７は、伸縮部１０を、ロープ３の左右端部近傍にそれぞれ配置した場合を示す。この構造では、ネット上辺５（図１）に選手の手がぶつかったとき、ロープ３の左右部分の伸縮部１０が均等に伸びるから、ロープ３の伸縮をより自然なバランスのとれたものとすることができる。この場合、伸縮部１０を構成する例えばゴムバンドは、前述の実施形態におけるゴムバンドより短いものが使用できる。図８は、伸縮部１０をロープ３の中央に配置した場合を示す。上記いずれの構造においても、伸縮部１０が配置される挿通孔４（図１）の部分には、開閉部１３及び伸縮部１０の移動を阻止する第１阻止手段１５が設けられる。
【００２８】
図９は、ロープ３を伸縮部１０のみ、例えばゴムバンドのみにて構成したものである。かかる構成においても、ネット１に弾性的な引張力を付与することができる。さらに、非伸縮性のロープの両端にゴムバンド等伸縮部を設け、非伸縮部をネットの挿通孔に通し、伸縮部を引っ張って支柱の係止部に係止する構造も可能である。
【００２９】
図１０は、別の実施形態を示し、ネット本体２の上辺５及び下辺６の中央に伸縮部３９，４０を形成したものである。この伸縮部３９，４０以外の上辺５、下辺６部分及び側辺７は、非伸縮性の布にて構成されている。ネット側辺７には、前述の実施形態同様、ゴムバンド及び面状ファスナー部よりなる接続部材１８が取りつけられている。伸縮部３９，４０は、ゴムにて構成することができ、上辺５の伸縮部３９は、左右の上辺５と同様、挿通孔４が形成されている。ネット本体２には、その挿通孔４にロープ３（図１）が通される。上記のほか、伸縮部７は、上辺５のみ又は下辺６のみに形成することもでき、その位置も任意に設定できる。
【００３０】
通常この種ネット１にあっては、特に児童が使用する場合、競技中或いは練習中ネットの網目部分８に手をかけて左右に引っ張ったり、或いはネット１に寄りかかったりすることがある。従来のネットの場合、この力が直接支柱に加わり、特に可動式支柱２１（図２）のとき、支柱２１がずれたり或いは支柱２１が倒れるおそれがあるが、上記構造にすれば、ネット本体２の伸縮部３９，４０が弾性的に伸長してこれを吸収緩和し、支柱２１に加わる荷重を軽減する。
【００３１】
上記実施の形態では、ネット１としてソフトバレーボール、ミニソフトバレーボール用のネットにつき説明したが、上記ネットの構造は、バトミントン、バレーボール競技、テニス競技等他の競技のネットに使用することができる。
【００３２】
【発明の効果】
【００３３】
本発明（請求項１）によれば、ネットを張るに際し、上辺の挿通孔に通したロープの両端の継手を各支柱の上端のリングに連結するのみでよいからその作業を簡単に行うことができる。
【００３４】
また本発明（請求項２）によれば、上記ロープが弾性伸縮する伸縮部と非伸縮部よりなるものであるから、ネットを支柱間に張設した際、伸縮部が弾性伸長して、ロープに引張力が加わって、ネットを常時ピンと張った状態に維持することができる。またネットに選手の手等があたった場合、その衝撃は伸縮部にて吸収、緩和され、選手に与える痛みは軽減される。またこの衝突或いはボールがあたることによってネットに力が加わっても、支柱に加わる力は減殺されるから、支柱がずれたり或いは倒れたりするという事故の発生は抑制される。さらに、伸縮部が切れたとき或いは伸縮部と非伸縮部材の結び目を調整するとき、開閉部を開いてこれを挿通部から引き出すことが容易にでき、伸縮部分の交換作業、結び直し作業が容易となる。
【００３５】
また本発明（請求項３）によれば、伸縮部分が切れた場合、第１阻止手段にて止まり、これが開放できない挿通孔の内部へ移動することはないから、伸縮部分を挿通孔から容易に引き出すことができる。
【００３６】
さらに本発明（請求項４）によれば、上記ロープの両端に、該ロープの端部が上記挿通孔に入ることを阻止する第２阻止手段を設けてあるので、ロープがネット上辺の挿通孔に通されているにもかかわらず、その端部が挿通孔内に入り、これが取り出せないという問題は生じず、いつでもロープ両端を支柱に或いは支柱ロープに連結することができる。
【図面の簡単な説明】
【図１】本発明実施の形態に係る競技用ネットを示す正面図である。
【図２】ネットを支柱に張設した状態を示す正面図である。
【図３】図２の支柱上端部分を拡大して示す正面図である。
【図４】ネットを別の構造を有する支柱に張設した状態を示す正面図である。
【図５】図４の支柱上端部分を拡大して示す正面図である。
【図６】図４の支柱の係止部を示す正面図である。
【図７】ロープの変形例を示す正面図である。
【図８】ロープの変形例を示す正面図である。
【図９】ロープの変形例を示す正面図である。
【図１０】ネットの別の実施の形態を示す正面図である。
【符号の説明】
１　ネット
２　ネット本体
３　ロープ
４　挿通孔
５　上辺
６　下辺
７　側辺
８　網目部分
９　非伸縮部
１０，３９，４０　伸縮部
１１　結び目
１２　継手
１３　開閉部
１４，２０　ファスナー部
１５　第１阻止手段
１６　第２阻止手段
１７　開口
１８　接続部材
１９　ゴムバンド
２１，３２　支柱
２２，３３　上部支柱
２３，３４　下部支柱
２４　高さ調整ピン
２５　リング
２６　べース
２７　ウエイト
２８，２９　キャスター
３０　ゴムストッパー
３６　支柱ロープ
３７　係止部
【図１】
2004024885.tif 000003
【図２】
2004024885.tif 000004
【図３】
2004024885.tif 000005
【図４】
2004024885.tif 000006
【図５】
2004024885.tif 000007
【図６】
2004024885.tif 000008
【図７】
2004024885.tif 000009
【図８】
2004024885.tif 000010
【図９】
2004024885.tif 000011
【図１０】
2004024885.tif 000012
【手続補正書】
【提出日】平成15年8月22日(2003.8.22)
【手続補正１】
【補正対象書類名】図面
【補正対象項目名】図１
【補正方法】変更
【補正の内容】
【図１】
2004024885.tif 000013
【手続補正２】
【補正対象書類名】図面
【補正対象項目名】図２
【補正方法】変更
【補正の内容】
【図２】
2004024885.tif 000014
【手続補正３】
【補正対象書類名】図面
【補正対象項目名】図３
【補正方法】変更
【補正の内容】
【図３】
2004024885.tif 000015
【手続補正４】
【補正対象書類名】図面
【補正対象項目名】図４
【補正方法】変更
【補正の内容】
【図４】
2004024885.tif 000016
【手続補正５】
【補正対象書類名】図面
【補正対象項目名】図５
【補正方法】変更
【補正の内容】
【図５】
2004024885.tif 000017
【手続補正６】
【補正対象書類名】図面
【補正対象項目名】図６
【補正方法】変更
【補正の内容】
【図６】
2004024885.tif 000018
【手続補正７】
【補正対象書類名】図面
【補正対象項目名】図７
【補正方法】変更
【補正の内容】
【図７】
2004024885.tif 000019
【手続補正８】
【補正対象書類名】図面
【補正対象項目名】図８
【補正方法】変更
【補正の内容】
【図８】
2004024885.tif 000020
【手続補正９】
【補正対象書類名】図面
【補正対象項目名】図９
【補正方法】変更
【補正の内容】
【図９】
2004024885.tif 000021
【手続補正１０】
【補正対象書類名】図面
【補正対象項目名】図１０
【補正方法】変更
【補正の内容】
【図１０】
2004024885.tif 000022